【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】
少なくとも１つの所定の聴覚刺激用の外生的に発生された口頭の音声信号をその中に含むオーディオ記憶媒体であって、該少なくとも１つの音声信号が少なくとも１つの引き伸ばされた音声ジェスチャーを含むものである、オーディオ記憶媒体と、
前記オーディオ記憶媒体と動作可能に接続されたスピーカと、
前記オーディオ記憶媒体及び前記スピーカと接続された電源と、
前記電源と動作可能に接続された起動スイッチと、
を含んでなり、
ユーザが音声を発生する前に、ユーザの側の少なくとも１つの時たまのどもりの事態に対応する希望する時間に、前記聴覚刺激用音声信号をユーザに繰り返し出力するように構成して、これによりどもるユーザに聴覚刺激を断続的に提供して音声の流暢さを向上させるものである、どもる人の流暢さを向上させる装置。
【請求項２】
前記聴覚刺激用の音声信号は、少なくとも２秒間持続する引き伸ばされた母音を有する引き伸ばされた音声ジェスチャーを提供するように構成されており、前記装置が前記スピーカに動作可能に接続されたユーザ入力トリガスイッチをさらに含み、前記ユーザ入力トリガスイッチが、前記聴覚刺激用の音声信号を前記ユーザに聞こえるようにほぼ即座に配送を開始するためのユーザ入力を受け入れるように構成される請求項１に記載の装置。
【請求項３】
前記装置が前記ユーザの音声によって発生された音声信号を受信及び分析するように構成されたマイクロフォン及び信号プロセッサをさらに含む請求項１に記載の装置。
【請求項４】
前記聴覚刺激用音声信号が２秒間から２分間持続してユーザの音声に提供され、前記ユーザの音声の内容とは一致しないように、前記装置が前記聴覚刺激用音声信号を前記スピーカから前記ユーザに前記ユーザの音声の分析に基づいて自動的に出力するように構成され、前記聴覚刺激用音声信号が、前記ユーザがほぼ正常な音声速度で話すことができるようにする方法で配送される請求項３に記載の装置。
【請求項５】
前記聴覚刺激用の音声信号が２分以内の持続時間を有し、連続的な聴覚信号の間に一時的に少なくとも１０秒の間隔をあけて連続的な聴覚刺激用の音声信号をユーザに出力するために、動作に当たっては、前記マイクロフォン及び前記信号プロセッサによって受信された信号をモニタリングすることによって、前記装置は前記ユーザによる音声の発生の開始及び終了を識別するように構成され、前記装置は前記ユーザが話している間に前記聴覚刺激用音声信号を断続的に出力するように構成されている請求項４に記載の装置。
【請求項６】
前記装置は、ユーザの音声の間に、２秒間から２分間の持続時間を有する少なくとも１つの引き伸ばされた母音を備えた前記聴覚刺激用の音声信号を、前記ユーザがほぼ正常な音声速度で話すことができるようにする方法で断続的に提供するように構成されている、請求項１に記載の装置。
【請求項７】
前記聴覚刺激用の音声信号は、少なくとも５秒間持続する引き伸ばされた単一音節の母音を有しており、該母音は、前記ユーザが話をしたとき及び／又は前記ユーザが話をしている間に予め提供するように構成されている請求項６に記載の装置。
【請求項８】
前記装置が前記プロセッサ及び前記マイクロフォンに動作可能に接続された検出器をさらに含み、前記検出器が実際のどもりの事態の開始を検出するように構成され、動作に当たっては、実際のユーザ側のどもりの兆候又は事態の開始を認知すると、前記装置が２秒間から２分間持続して前記聴覚刺激用音声信号を断続的に提供する請求項３２に記載の装置。
【請求項９】
前記聴覚刺激用の音声信号が、それぞれが異なる引き伸ばされた音声ジェスチャー音を有する複数の異なる口頭の音声信号を含み、前記複数の異なる信号が、２秒間から２分間の持続時間を有する前記異なる聴覚刺激信号において、複数の引き伸ばされた音声ジェスチャー音とともに、一時的に間隔をあけて望ましい時間に前記ユーザに連続的に出力されるように構成される請求項１に記載の装置。
【請求項１０】
前記少なくとも１つの聴覚刺激用の音声信号は、複数の外生的に発生された異なる聴覚刺激信号であり、それぞれの音声は少なくとも１つの引き伸ばされた母音を含み、該母音は２秒間から２分間の持続時間を有しており、前記異なる聴覚刺激信号を時間で一時的に分けるように、前記異なる聴覚刺激信号を前記ユーザに出力するものである、請求項１に記載の装置。
【請求項１１】
前記装置がユーザの話より前に時間的に接近して前記聴覚刺激用音声信号を提供することができるようにするユーザ起動スイッチを有して、前記装置が構成される請求項１に記載の装置。
【請求項１２】
前記聴覚刺激用音声信号が、少なくとも１つの口頭の引き伸ばされた単一音節の音声ジェスチャー音を含む請求項１に記載の装置。
【請求項１３】
前記少なくとも１つの引き伸ばされた音声ジェスチャー音のそれぞれが、定常状態の少なくとも５秒の聞こえる範囲で持続される請求項１２に記載の装置。
【請求項１４】
前記聴覚刺激用の音声信号が、定常状態の少なくとも５秒の聞こえる範囲で持続された定常状態の母音を含む請求項１に記載の装置。
【請求項１５】
前記聴覚刺激用音声信号が、定常状態の少なくとも５秒の聞こえる範囲で持続された定常状態の子音音を含む請求項１に記載の装置。
【請求項１６】
前記外生的に発生された聴覚刺激信号が、少なくとも１つの（ａ）２秒間から２分間持続された母音列音と、（ｂ）２秒間から２分間持続された１つの母音とを含む請求項１に記載の装置。
【請求項１７】
前記外生的に発生された聴覚刺激信号が、それぞれが少なくとも約１０秒間続く聞こえる持続時間を有する複数の異なる引き伸ばされた母音の音声ジェスチャー音を含む請求項１に記載の装置。
【請求項１８】
前記装置が携帯用に構成され、使用に当たっては、前記外生的に発生された聴覚刺激信号が前記ユーザの少なくとも１つの耳に入力されるように前記スピーカが前記ユーザの耳の最も近くに存在するように寸法が決められ構成される請求項１に記載の装置。
【請求項１９】
動作する間は、前記スピーカが前記ユーザに聞き取れる通信するが、前記患者が話をしている間に、前記音声信号が前記患者から離れた位置の前記装置内の前記スピーカから出力され、前記患者の耳に入る前に空中を７．６２ｃｍ（３インチ）以上移動するように、前記スピーカが前記ユーザから離れて配置されており、前記装置は、スピーカを一体化した小型携帯用装置及び／又は着用使用可能な装置である、請求項１に記載の装置。
【請求項２０】
前記装置は、耳から離れた場所にある電話機の本体の中へと組み込まれる請求項１に記載の装置。
【請求項２１】
前記聴覚刺激用の音声信号が、録音されたどもりのある音声信号である請求項１に記載の装置。
【請求項２２】
前記聴覚刺激用の音声信号が、正常な流暢さをもつ人により記録され提供された、引き伸ばされた母音を含む請求項１に記載の装置。
【請求項２３】
前記装置が、ＯＴＥ装置とＢＴＥ装置とＩＴＥ装置との１つとして構成される請求項１に記載の装置。
【請求項２４】
前記オーディオ記憶媒体がコンパクトディスクである請求項１に記載の装置。
【請求項２５】
前記オーディオ記憶媒体がＤＳＰを含む請求項１に記載の装置。
【請求項２６】
前記装置が、携帯用手持ち式装置と、筆記用具と、汎用コンピュータと、無線通信装置と、耳から離れた場所にある電話との１つの中へと組み込まれる請求項１に記載の装置。
【請求項２７】
前記装置から空中を通って前記ユーザの外耳道へと前記信号を直接伝送するヘッドセット又はイヤホンがないために、ベルトクリップと時計と帽子とラペルとジャケットと眼鏡のフレームとピンとの１つとして、前記装置が身に付けられるように構成される請求項１に記載の装置。
【請求項２８】
前記聴覚刺激用音声信号の出力を起動するように構成された遠隔制御ユニットをさらに含む請求項１に記載の装置。
【請求項２９】
どもる人の流暢さを向上させる製品であって、２秒間から２分間の持続時間を有し、少なくとも１つの引き伸ばされた音声ジェスチャー音を含む外生的に発生された音声信号を含むオーディオ記憶媒体を含み、前記音声ジェスチャー音が話をする場合の流暢さを向上させる前記製品を使用する人以外の人によって発生され、動作に当たっては、どもる人であるユーザに断続的に出力される前記外生的に発生された音声信号が、どもる人の流暢さを向上させるための聴覚刺激として前記ユーザに伝達されるものである、どもる人の流暢さを向上させる製品。
【請求項３０】
前記少なくとも１つの引き伸ばされた音声ジェスチャーは、所定の引き伸ばされた母音を含む請求項２９に記載の製品。
【請求項３１】
前記引き伸ばされた母音は、２秒以上の持続時間を有し、引き伸ばされた「ａ」の音を含む請求項３０に記載の製品。
【請求項３２】
前記引き伸ばされた「ａ」の音は、少なくとも５秒以上の持続時間を有する請求項３１に記載の製品。
【請求項３３】
前記少なくとも１つの引き伸ばされた音声ジェスチャーは、引き伸ばされた自鳴音を含む請求項２９に記載の製品。
【請求項３４】
前記オーディオ記憶媒体内の前記外生的に発声された音声信号は、主に、引き伸ばされた母音及び／又は子音を含む請求項２９に記載の製品。
【請求項３５】
前記オーディオ記憶媒体内の前記外生的に発声された音声信号は、本質的に、いくつかの引き伸ばされた音声ジェスチャー母音からなる請求項２９に記載の製品。